(57)【要約】【課題】品質の安定したグレーバランス調整を自動的かつ素早く行うことができるグレーバランス調整プログラム、記録媒体及びグレーバランス調整方法を提供することを目的とする。【解決手段】演算処理装置に、複数個のインク単色の混合比率を変化させてインク単色の数以上の色を表現可能な画像処理装置における複数個のインク単色の階調特性をターゲットの階調特性に合わせるようにガンマ補正パラメータを調整する単色階調特性調整ステップと、調整したガンマ補正パラメータに基づいて出力された調整用チャートの測定値及び濃度値を用いて、複数個のインク単色の混合比率を変化させて表現可能なグレーの色味がターゲットに合い、且つ複数個のインク単色のターゲットとの濃度誤差が同程度となるようにガンマ補正パラメータを調整するグレーバランス調整ステップとを実行させることにより上記課題を解決する。【選択図】図７
2008288722.tif 000002
【特許請求の範囲】
【請求項１】
記憶装置，演算処理装置を含む構成のコンピュータにおいて実行されるグレーバランス調整プログラムであって、
前記演算処理装置に、
複数個のインク単色の混合比率を変化させて前記インク単色の数以上の色を表現可能な画像処理装置における複数個のインク単色の階調特性をターゲットの階調特性に合わせるようにガンマ補正パラメータを調整する単色階調特性調整ステップと、
調整した前記ガンマ補正パラメータに基づいて出力された調整用チャートの測定値及び濃度値を用いて、前記複数個のインク単色の混合比率を変化させて表現可能なグレーの色味がターゲットに合い、且つ前記複数個のインク単色のターゲットとの濃度誤差が同程度となるように前記ガンマ補正パラメータを調整するグレーバランス調整ステップと
を実行させるグレーバランス調整プログラム。
【請求項２】
前記グレーバランス調整ステップは、前記複数個のインク単色のターゲットとの濃度誤差が最も大きい第１のインク単色と、前記複数個のインク単色のターゲットとの濃度誤差が最も小さい第２のインク単色とを決定し、前記第１のインク単色の濃度誤差及び前記第２のインク単色の濃度誤差が同程度となるように前記ガンマ補正パラメータを調整することを特徴とする請求項１記載のグレーバランス調整プログラム。
【請求項３】
前記調整用チャートを測定した測色機から前記調整用チャートの測定値及び濃度値を入力される測定値入力ステップを更に実行させる請求項１記載のグレーバランス調整プログラム。
【請求項４】
前記調整用チャートは、１つのインク単色の階調を固定し、他の２つインク単色の混合比率を変化させた複数のパッチが並べられて印刷されているものであることを特徴とする請求項１記載のグレーバランス調整プログラム。
【請求項５】
前記グレーバランス調整ステップにおいて離散的な階調に対して得られた前記ガンマ補正パラメータに基づき、全ての階調に対する前記ガンマ補正パラメータを算出する近似計算ステップを更に実行させる請求項１記載のグレーバランス調整プログラム。
【請求項６】
前記グレーバランス調整ステップは、予め測定されているグレーの階調ごとの測定値を用いて前記ガンマ補正パラメータを調整することを特徴とする請求項１記載のグレーバランス調整プログラム。
【請求項７】
前記ガンマ補正パラメータは、プリンタドライバの濃度補正処理に利用されることを特徴とする請求項１乃至６何れか一項記載のグレーバランス調整プログラム。
【請求項８】
請求項１記載のグレーバランス調整プログラムを記録したコンピュータ読み取り可能な記録媒体。
【請求項９】
記憶装置，演算処理装置を含む構成のコンピュータが使用するグレーバランス調整方法であって、
前記演算処理装置が、
複数個のインク単色の混合比率を変化させて前記インク単色の数以上の色を表現可能な画像処理装置における複数個のインク単色の階調特性をターゲットの階調特性に合わせるようにガンマ補正パラメータを調整する単色階調特性調整ステップと、
調整した前記ガンマ補正パラメータに基づいて出力された調整用チャートの測定値及び濃度値を用いて、前記複数個のインク単色の混合比率を変化させて表現可能なグレーの色味がターゲットに合い、且つ前記複数個のインク単色のターゲットとの濃度誤差が同程度となるように前記ガンマ補正パラメータを調整するグレーバランス調整ステップと
を有するグレーバランス調整方法。
【発明の詳細な説明】
【技術分野】
【０００１】
本発明は、グレーバランス調整プログラム、記録媒体及びグレーバランス調整方法に係り、特にガンマ補正パラメータによってグレーバランスを調整するグレーバランス調整プログラム、記録媒体及びグレーバランス調整方法に関する。
【背景技術】
【０００２】
例えば色の表現方法であるＣＭＹＫを利用する画像処理装置は、ブラック（Ｋ）のインクによる黒の他、シアン（Ｃ），マゼンダ（Ｍ）及びイエロー（Ｙ）のインクを混ぜ合わせた黒（コンポジットブラック）を利用できる。しかし、コンポジットブラックは印刷に利用するトナーやインク等の色材が不要吸収成分を含む為、等量のＣＭＹのインクを混ぜ合わせてもブラックのインクによる黒と色味が異なってしまう。
【０００３】
そこで、従来の画像処理装置ではＣＭＹのインクを混ぜ合わせてグレー，黒などの無彩色を作るとき、ブラックのインクによる黒と色味を一致させるように、グレーバランス調整が必要であった。特許文献１にはグレーバランス調整を行う画像形成装置の一例が記載されている。
【０００４】
図１はグレーバランス調整の一例を示すフローチャートである。図１のフローチャートに示したグレーバランス調整は、例えばパーソナルコンピュータ（ＰＣ）において実行される。
【０００５】
ステップＳ１に進み、ＰＣは複数モード（普通紙高速モード，普通紙はやいモード，普通紙高画質モード等）間でインク単色の階調特性を一致させる。ステップＳ２に進み、ＰＣはインク単色の階調特性を一致させた後、その階調特性をできるだけ保持しつつ、ＣＭＹのインクを混ぜ合わせる混合比率を調整してブラックのインクによるグレーの色味と、ＣＭＹのインクを混ぜ合わせたコンポジットブラックによるグレーの色味とを一致させていた。
【特許文献１】特開２００２−５７８９７号公報
【発明の開示】
【発明が解決しようとする課題】
【０００６】
従来、グレーバランス調整におけるＣＭＹの混合比率の調整は、手作業で行われていたため、所望のグレーの色味を実現するのに時間が掛かる他、人によって結果が異なることがあり、品質が安定しないという問題があった。
【０００７】
本発明は、上記の点に鑑みなされたもので、品質の安定したグレーバランス調整を自動的かつ素早く行うことができるグレーバランス調整プログラム、記録媒体及びグレーバランス調整方法を提供することを目的とする。
【課題を解決するための手段】
【０００８】
上記課題を解決する為、本発明は、記憶装置，演算処理装置を含む構成のコンピュータにおいて実行されるグレーバランス調整プログラムであって、前記演算処理装置に、複数個のインク単色の混合比率を変化させて前記インク単色の数以上の色を表現可能な画像処理装置における複数個のインク単色の階調特性をターゲットの階調特性に合わせるようにガンマ補正パラメータを調整する単色階調特性調整ステップと、調整した前記ガンマ補正パラメータに基づいて出力された調整用チャートの測定値及び濃度値を用いて、前記複数個のインク単色の混合比率を変化させて表現可能なグレーの色味がターゲットに合い、且つ前記複数個のインク単色のターゲットとの濃度誤差が同程度となるように前記ガンマ補正パラメータを調整するグレーバランス調整ステップとを実行させるグレーバランス調整プログラムであることを特徴とする。
【０００９】
なお、本発明の構成要素、表現または構成要素の任意の組合せを、方法、装置、システム、コンピュータプログラム、記録媒体、データ構造などに適用したものも本発明の態様として有効である。
【発明の効果】
【００１０】
本発明によれば、品質の安定したグレーバランス調整を自動的かつ素早く行うことができるグレーバランス調整プログラム、記録媒体及びグレーバランス調整方法を提供可能である。
【発明を実施するための最良の形態】
【００１１】
次に、本発明を実施するための最良の形態を、以下の実施例に基づき図面を参照しつつ説明していく。
【００１２】
図２は画像出力処理の一例を示す模式図である。ＰＣ１はアプリケーション３，ＯＳ４及びプリンタドライバ５を有する構成である。アプリケーション３は印刷指令をＯＳ４経由でプリンタドライバ５へ発する。
【００１３】
アプリケーション３から印刷指令が発せられると、プリンタドライバ５は後述の画像処理を実行し、画像データから印刷データを生成する。プリンタドライバ５は印刷データをプリンタ５へ送信する。プリンタ５は受信した印刷データにもとづき、紙などの記録媒体に印刷（印字）を行う。
【００１４】
図３は、プリンタドライバが実行する画像処理の手順を表した一例のフローチャートである。ステップＳ１１に進み、プリンタドライバ５はアプリケーション３から印刷指令及び画像データを受け取る。ステップＳ１２に進み、プリンタドライバ５は色の表現方法であるＲＧＢからＣＭＹＫへ画像データを変換する色変換処理を行う。
【００１５】
ステップＳ１３に進み、プリンタドライバ５は濃度補正処理により、インク単色，コンポジットブラック及びグレーの色味の調整を行う。ステップＳ１４に進み、プリンタドライバ５は階調変換処理により、Ｎビットの画像データをＭビット（Ｎ＞Ｍ）の画像データに変換する。
【００１６】
ステップＳ１５に進み、プリンタドライバ５はレンダリング処理により画像データを印刷データへ変換する。ステップＳ１６に進み、プリンタドライバ５は印刷データをプリンタ２へ送信する。
【００１７】
なお、ステップＳ１３の濃度補正処理ではプリンタ２が備える複数のモード間で色味の一致が図られる。特に濃度補正処理ではブラックのインクによるグレーの色味と、ＣＭＹのインクを混ぜ合わせたコンポジットブラックによるグレーの色味とを一致させる。具体的に濃度補正処理ではインク単色ごとに持つ図４のようなガンマ補正パラメータにより入力階調を出力階調に変換し、色味の一致を行う。
【００１８】
図４はガンマ補正パラメータを表したグラフ図である。図４のグラフ図はＣＭＹＫのインク毎に入力階調と出力階調とが対応付けられている。なお、ガンマ補正とは画像などの色のデータと、それが実際に出力される際の信号の相対関係を調整して、より自然に近い表示を得るための補正操作をいう。
【００１９】
ガンマとは、画像の明るさの変化に対する電圧換算値の変化の比で、これが１に近づくのが理想だが、素子の特性によって異なった値（誤差）となる。元の画像データに忠実な表示を再現したければ、これらの誤差を調整する必要がある。ガンマ補正は、この誤差を補正するものである。
【００２０】
ブラックのインクによるグレーの色味と、ＣＭＹのインクを混ぜ合わせたコンポジットブラックによるグレーの色味とを一致させるグレーバランス調整を行う為には、ツールを使って予めガンマ補正パラメータを調整しておく必要がある。次に、ツールを使ったガンマ補正パラメータの調整について説明する。
【００２１】
図５はガンマ補正パラメータの調整を行う一例のシステム構成図である。図５のシステムは、ＰＣ１１，プリンタ１２及び測色機１３が、ＬＡＮやインターネットなどのネットワーク１４を介してデータ通信可能に接続されている。図５のシステムはネットワーク１４を介さずに直接、接続してもよい。
【００２２】
プリンタ１２は、グレーバランス調整を行う対象である。プリンタ１２はプリンタエンジン及びプリンタコントローラを備え、ＰＣ１１にインストールされているプリンタドライバ５によって制御される。プリンタ１２は、後述のグレーの色味調整用チャート及びグレーの色味評価用チャートを紙などの記録媒体上に印刷する。また、測色機１３はプリンタ１２によって印刷されたグレーの色味調整用チャート及びグレーの色味評価用チャートを測定し、Ｌ＊ａ＊ｂ＊による測定値を得る。
【００２３】
ＰＣ１１は、プリンタドライバ５によるプリンタ１２の制御，測色機１３の制御及びガンマ補正パラメータの調整等を行う。ＰＣ１１は図６に示すような一般的なコンピュータシステムによって構成される。
【００２４】
図６はコンピュータシステムの一例のハードウェア構成図である。図６のコンピュータシステムは、バスＢで相互に接続されている入力装置２１，出力装置２２，ドライブ装置２３，補助記憶装置２４，主記憶装置２５，演算処理装置２６及びインターフェース装置２７を含むように構成される。
【００２５】
入力装置２１はキーボードやマウスなどで構成され、各種操作指示を入力するために用いられる。出力装置２２はディスプレイ装置などで構成され、各種ウインドウやデータ等を表示するために用いられる。インターフェース装置２７は、モデム，ＬＡＮカードなどで構成されており、ネットワーク１４に接続する為に用いられる。
【００２６】
本発明によるグレーバランス調整プログラムは、ＰＣ１１を制御する各種プログラムの少なくとも一部である。グレーバランス調整プログラムは、例えば記録媒体２８の配布やネットワーク１４からのダウンロードなどによって提供される。
【００２７】
グレーバランス調整プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００２８】
グレーバランス調整プログラムを記録した記録媒体２８がドライブ装置２３にセットされると、グレーバランス調整プログラムは記録媒体２８からドライブ装置２３を介して補助記憶装置２４にインストールされる。また、ネットワーク１４からダウンロードされたグレーバランス調整プログラムは、インターフェース装置２７を介して補助記憶装置２４にインストールされる。
【００２９】
補助記憶装置２４は、インストールされたグレーバランス調整プログラムを格納すると共に、必要なファイル，データ等を格納する。主記憶装置２５は、起動時に補助記憶装置２４からグレーバランス調整プログラムを読み出して格納する。演算処理装置２６は主記憶装置２５に格納されたグレーバランス調整プログラムに従って、後述するような各種処理を実現している。なお、ガンマ補正パラメータの調整を行う後述のツールはグレーバランス調整プログラムの一例である。
【００３０】
図７はガンマ補正パラメータの調整を行うツールのブロック図である。図７のツール３０は、測定値入力部３１，単色階調特性調整部３２，グレーバランス調整部３３，近似計算部３４，パラメータ出力部３５を有する構成である。
【００３１】
測定値入力部３１は、測色機１３が測定したグレーの色味調整用チャート及びグレーの色味評価用チャートのＬ＊ａ＊ｂ＊による測定値及び濃度値が入力される。単色階調特性調整部３２は、インク単色の階調特性をターゲット（目標値）に合わせる。グレーバランス調整部３３はグレーの色味をターゲット（目標値）に合わせる。
【００３２】
近似計算部３４は、離散的な階調（例えば０，８，１６，・・・，２５５階調）に対して得られたガンマ補正パラメータに基づき、全ての階調（例えば０，１，２，・・・，２５５階調）に対するガンマ補正パラメータを算出する。パラメータ出力部３５は、算出した全ての階調に対するガンマ補正パラメータを外部ファイルに保存する。
【００３３】
ツール３０の処理手順は次のようになる。単色階調特性調整部３２は、従来の設計手法によりインク単色の階調特性をターゲットの階調特性に合わせるガンマ補正パラメータを作成する。単色階調特性調整部３２は、作成したガンマ補正パラメータを用いて図８のようなグレーの色味調整用チャート８０を出力（印刷）する。
【００３４】
図８はグレーの色味調整用チャートの一例のイメージ図である。図８のグレーの色味調整用チャート８０は、ＣのインクをＣａに固定し、Ｍ及びＹのインクを混ぜ合わせる混合比率を変化させた複数の小さなパッチ８１がタイル状に並べられて印刷されているものである。
【００３５】
測色機１３は、グレーの色味調整用チャート８０を測定し、Ｌ＊ａ＊ｂ＊による測定値を得る。測色機１３はＬ＊ａ＊ｂ＊による測定値をＰＣ１１に送信する。測定値入力部３１は測色機１３が測定したグレーの色味調整用チャート８０のＬ＊ａ＊ｂ＊による測定値が入力される。なお、ＰＣ１１は図９に示すグレーの色味評価用チャートのＬ＊ａ＊ｂ＊による測定値及び濃度値が予め入力されているものとする。
【００３６】
図９はグレーの色味評価用チャートの一例のイメージ図である。図９は、グレーの色味評価用チャート９０と、その色味評価用チャート９０を測色機１３により測定した結果であるＬ＊ａ＊ｂ＊による測定値及び濃度値を表している。グレーの階調をαとすると、そのグレーの階調を表すＲＧＢ値は（２５５−α，２５５−α，２５５−α）となる。
【００３７】
それぞれのＲＧＢ値を持つ画像データに対して図３のフローチャートが示す画像処理を実施することで、グレーの色味評価用チャート９０を印刷できる。測色機１３はグレーの色味評価用チャート９０を測定し、Ｌ＊ａ＊ｂ＊による測定値及び濃度値を得る。測色機１３はグレーの色味評価用チャート９０から測定したＬ＊ａ＊ｂ＊による測定値をＰＣ１１に送信する。測定値入力部３１は測色機１３が測定したグレーの色味評価用チャート９０のＬ＊ａ＊ｂ＊による測定値が入力される。
【００３８】
グレーバランス調整部３３は、色味評価用チャート９０のＬ＊ａ＊ｂ＊による測定値からターゲットとなるグレーの階調のａ＊値，ｂ＊値を得て、色味調整用チャート８０のパッチ８１から、ターゲットとなるグレーの階調のａ＊値，ｂ＊値と近似しているパッチ８１を選択することでＭ及びＹの組み合わせを決定する。以上が、ＣのインクをＣａに固定したときの、最適なＣＭＹの組み合わせとなる。
【００３９】
同様に、グレーバランス調整部３３はＣの値を０〜２５５の間で数段階変化させ、それぞれのＣの値に対して最適なＣＭＹの組み合わせを求める。グレーバランス調整部３３は求めた最適なＣＭＹの組み合わせからターゲットとなるグレーの色味に合わせるガンマ補正パラメータを作成する。
【００４０】
グレーバランス調整部３３が作成したガンマ補正パラメータは離散的な入力階調に対する出力階調である。近似計算部３４は、離散的な入力階調に対して得られたガンマ補正パラメータに基づき、全ての入力階調に対するガンマ補正パラメータを算出する。上記のように作成されたガンマ補正パラメータは、パラメータ出力部３５によって外部ファイルに保存される。
【００４１】
図１０は最適なグレーバランスを実現したときのガンマ補正パラメータ及びインク単色の階調特性の濃度誤差を表したグラフ図である。図１０（Ａ）は最適なグレーバランスを実現したときのガンマ補正パラメータである。図１０（Ｂ）は最適なグレーバランスを実現したときのインク単色の階調特性の濃度誤差である。
【００４２】
図１０（Ａ）に示すように、インク単色の階調特性をターゲットの階調特性に合わせたあと、グレーの色味が一致するようにＭ及びＹの階調特性は調整される。このとき、インク単色の階調特性は、インク単色毎にずれてしまい、インク単色毎に異なる濃度誤差が発生してしまう。図１０（Ａ）に示されているａ，ｂ点のそれぞれにおいて、ＣＭＹの組み合わせ（Ｃａ，Ｍａ，Ｙａ），（Ｃｂ，Ｍｂ，Ｙｂ）は、最適なグレーの色味を実現できている。しかし、Ｍ，Ｙの階調特性はターゲットからずれてしまい、図１０（Ｂ）に示されているように、Ｍ，Ｙ毎に異なる濃度誤差が発生してしまう。図１０（Ｂ）ではＭの濃度誤差が大きかった。
【００４３】
そこで、本発明によるツール３０では、図１１（Ａ）に示すように、ＣＭＹの組み合わせを変化させずに、上記ＣＭＹの組み合わせが出現する階調特性をシャドウ側へ移す。このように図１１（Ａ）では、全体的に階調特性が濃度の低い方へ移る。図１１（Ｂ）に示すように、ツール３０はＭの濃度誤差の最大と、Ｃの濃度誤差の最大とが、同程度となるように調整する。図１１は、インク単色の濃度誤差のバランスを考慮したガンマ補正パラメータ及びインク単色の階調特性の濃度誤差を表したグラフ図である。
【００４４】
図１２はインク単色の濃度誤差のバランスを考慮したグレーバランス調整処理の一例を表したフローチャートである。図１２のフローチャートは、図１０に示す最適なグレーバランスを実現したときのガンマ補正パラメータから、図１１に示すインク単色の濃度誤差のバランスを考慮したガンマ補正パラメータへの調整を行うものである。
【００４５】
なお、ステップＳ２１〜Ｓ２５の処理は、最適なグレーバランスを実現する複数個のＣＭＹの組み合わせの数分、ループして行われる。グレーバランス調整部３３は、前述したように離散的なグレーの入力階調に対し、それぞれ最適なグレーバランスを実現するＣＭＹの組み合わせを求める。
【００４６】
ステップＳ２１に進み、グレーバランス調整部３３はインク単色（ＣＭＹ）毎に、それぞれの入力階調におけるターゲットとの濃度誤差について、最も濃度誤差の大きい第一の色と、最も濃度誤差の小さい第二の色とを決定する。
【００４７】
ステップＳ２２に進み、グレーバランス調整部３３は第一の色の濃度誤差の絶対値ｄ１と第二の色の濃度誤差の絶対値ｄ２との大小関係を判定する。第一の色の濃度誤差の絶対値ｄ１が第二の色の濃度誤差の絶対値ｄ２よりも大きければ、グレーバランス調整部３３はステップＳ２３に進み、ＣＭＹの組み合わせの出力される階調を図１１のように大きい方へ移動することを決定する。
【００４８】
一方、第一の色の濃度誤差の絶対値ｄ１が第二の色の濃度誤差の絶対値ｄ２よりも小さければ、グレーバランス調整部３３はステップＳ２４に進み、ＣＭＹの組み合わせの出力される階調を小さい方へ移動することを決定する。
【００４９】
ステップＳ２３又はＳ２４に続いてステップＳ２５に進み、グレーバランス調整部３３はステップＳ２３又はＳ２４において決定した方向へＣＭＹの組み合わせの出力される階調を移動し、第一の色の濃度誤差の絶対値ｄ１と第二の色の濃度誤差の絶対値ｄ２とが等しく（同程度と）なる出力階調を決定する。
【００５０】
図１２のフローチャートによれば、ＣＭＹの組み合わせを変化させずに、第一の色の濃度誤差の絶対値ｄ１と第二の色の濃度誤差の絶対値ｄ２とが等しくなる出力階調に調整することで、インク単色の濃度誤差のバランスを考慮したガンマ補正パラメータへの調整が可能となる。
【００５１】
本発明によるツール３０は、従来、図１３のようなユーザインタフェース（ＵＩ）から図１４のようなＵＩに改善されている。図１３は、従来のツールにおけるＵＩを表したイメージ図である。図１４は本発明のツールにおけるＵＩを表したイメージ図である。
【００５２】
図１３のＵＩは、インク単色毎のガンマ補正パラメータの形状（γ曲線）と、そのガンマ補正パラメータを使用して出力したグレーバランスと、ターゲット及びインク単色の階調毎の濃度誤差（単色濃度誤差）とが、参照できるようになっている。グレーバランスはグレーの色味調整用チャート８０を測定して得られたａ＊値，ｂ＊値を平面にプロットしたものである。
【００５３】
図１３のＵＩでは、手動にて各インク単色のガンマ補正パラメータを調整し、色味調整用チャート８０を出力、測定及びグレーバランスの確認を繰り返す必要があった。このため、図１３のＵＩではグレーバランスの調整に多くの工数が掛かっていた。また、図１３のＵＩでは手動にて各インク単色のガンマ補正パラメータを調整する為、設計者毎に、できあがるガンマ補正パラメータの品質にばらつきが生じていた。
【００５４】
図１４のＵＩでは、図１３のＵＩの構成に加え、ターゲットとするグレーバランスを定量的に設定するターゲット色相欄が設けられている。このターゲット色相欄に設定されたターゲットのグレーバランスを元にすることで、本発明によるツール３０は自動にて各インク単色のガンマ補正パラメータを調整し、グレーの色味調整用チャート８０を出力、測定及びグレーバランスの確認を自動にて行う。
【００５５】
この為、図１４のＵＩではグレーバランスの調整に多くの工数が掛からず、自動的に各インク単色のガンマ補正パラメータを調整する為、設計者毎に、できあがるガンマ補正パラメータの品質にばらつきが生じない。このように、本願発明によるツール３０は品質の安定したグレーバランス調整を自動的かつ素早く行うことができる。
【００５６】
本発明は、具体的に開示された実施例に限定されるものではなく、特許請求の範囲から逸脱することなく、種々の変形や変更が可能である。
【図面の簡単な説明】
【００５７】
【図１】グレーバランス調整の一例を示すフローチャートである。
【図２】画像出力処理の一例を示す模式図である。
【図３】プリンタドライバが実行する画像処理の手順を表した一例のフローチャートである。
【図４】ガンマ補正パラメータを表したグラフ図である。
【図５】ガンマ補正パラメータの調整を行う一例のシステム構成図である。
【図６】コンピュータシステムの一例のハードウェア構成図である。
【図７】ガンマ補正パラメータの調整を行うツールのブロック図である。
【図８】グレーの色味調整用チャートの一例のイメージ図である。
【図９】グレーの色味評価用チャートの一例のイメージ図である。
【図１０】最適なグレーバランスを実現したときのガンマ補正パラメータ及びインク単色の階調特性の濃度誤差を表したグラフ図である。
【図１１】インク単色の濃度誤差のバランスを考慮したガンマ補正パラメータ及びインク単色の階調特性の濃度誤差を表したグラフ図である。
【図１２】インク単色の濃度誤差のバランスを考慮したグレーバランス調整処理の一例を表したフローチャートである。
【図１３】従来のツールにおけるＵＩを表したイメージ図である。
【図１４】本発明のツールにおけるＵＩを表したイメージ図である。
【符号の説明】
【００５８】
１，１１    ＰＣ
２，１２    プリンタ
３    アプリケーション
４    ＯＳ
５    プリンタドライバ
１３    測色機
１４    ネットワーク
２１    入力装置
２２    出力装置
２３    ドライブ装置
２４    補助記憶装置
２５    主記憶装置
２６    演算処理装置
２７    インターフェース装置
２８    記録媒体
３０    ツール
３１    測定値入力部
３２    単色階調特性調整部
３３    グレーバランス調整部
３４    近似計算部
３５    パラメータ出力部
【図１】
2008288722.tif 000003
【図２】
2008288722.tif 000004
【図３】
2008288722.tif 000005
【図４】
2008288722.tif 000006
【図５】
2008288722.tif 000007
【図６】
2008288722.tif 000008
【図７】
2008288722.tif 000009
【図８】
2008288722.tif 000010
【図９】
2008288722.tif 000011
【図１０】
2008288722.tif 000012
【図１１】
2008288722.tif 000013
【図１２】
2008288722.tif 000014
【図１３】
2008288722.tif 000015
【図１４】
2008288722.tif 000016